(57)【要約】      （修正有）【課題】アーチ型支柱のトンネル栽培作業の中で、長尺ビニールシートの開閉は時間と手間がかかり、中腰作業の為疲れる。また夏場の干ばつや苗の植え替えなど水が必要になる。容易にシートの開閉や水の確保ができる雨水集水型被覆開閉具を提供する。【解決手段】ビニールシート面に降った雨や直接雨水溝に流れ込んだ雨水は上面雨水溝を通って長手方向断面部から落下し、コの字型の刻み部に集水部材１７を差込み固定し、他方はホースを差込、地面の中に埋めたタンクに流れ込む。【選択図】図２
2012080857.tif 000002
【特許請求の範囲】
【請求項１】
上面に全長に溝があり、上面から下面に穴が貫通され、その穴に通す杭があり、側面全長にも溝かあり、その溝に取っ手付きはめ込み部材が入る、長手方向両端部一方は、上部に突起部があり、もう一方の端部は下部に同奥行長の突起部がある、ジョイント箇所は両者を部材で固定し、同端部の上面溝断面周りに刻みが入れてあり、その刻み箇所に差込む部材があり、他方は筒状になっている、アーチ型支柱に脱着出来る棒がある。
【発明の詳細な説明】
【技術分野】
【０００１】  本発明は畑の作物を寒さ、害虫や水不足から守る為の、雨水集水型被覆開閉具に関する物である。
【背景技術】
【０００２】  従来畑に作物を植えたら寒さや害虫から守る為、アーチ型支柱の両端を地面に差して、その上に長尺のビニールシートを被せる。風でビニールシートが飛ばされないよう、クリップで支柱に挟んだりビニールシートの端に土をかけて固定している。又種子を蒔いたり苗を植替えたりした後など水が必要となる為である。
【発明の概要】
【発明が解決しようとする課題】
【０００３】アーチ型支柱のトンネル栽培作業を開始する時、固定している長尺ビニールシートを外さなければならない、長い距離だと手間と中腰作業の為疲れる。作業終えたら又ビニールシート元の状態に戻さなければならない。
夏場畑が干上がっている時、作物に水を与えたり作物の植え付け時など、水が必要となり水源の確保が必須となる。
本発明は以上の問題点を解決する為に成されたものである。
【問題を解決するための手段】
【０００４】  上面は雨水を集めるよう全長に渡って雨水溝が有り、長手方向両端部近くと、数ヶ所上面から底まで貫通した穴がある。その穴を通る杭もある。手前側面にも全長に渡って挟み溝が有り、その溝に収まる部材もある。
長手方向の端部から奥行き数ｃｍ、底から高さ３分の１で切り落とす、もう一方の端部は同奥行長で、上面から高さ３分の２で切り落されている。上面雨水溝の長手方向両端部に溝３辺を囲むようにコの字型の刻みが入れてある。その刻みにはめ込むコの字型部材もあり、もう一方は円筒型に成っている。アーチ型支柱に挟んで棒を乗せる引っ掛け棒がある。
以上の構成より成る雨水集水型被覆開閉具。
【発明の効果】
【０００５】従来アーチ型支柱トンネル栽培の場合、長尺ビニールシートを外す時クリップを１個ずつ外したり、土を取り除いたり、ビニールシートを捲し上げたりしているが、本発明により作業が省略され、作業も簡単に出来る。ビニールシートに降った雨を集める構造が併設されている為、水の確保も容易である。本発明品の自重と数本の杭でビニールシートの飛散に対抗し、開く時はビニールを巻き込みながら捲し上げる、作業が終わればビニールの巻きを戻し上面の貫通穴に杭を差し込めば完了となり、開閉が簡単に出来る。
【図面の簡単な説明】
【０００６】
【図１】本発明の斜視図
【図２】本発明の使用状態を示す斜視図
【図３】詳細図
【図４】詳細図
【図５】詳細図
【図６】詳細図
【図７】詳細図
【図８】詳細図
【発明を実施するための形態】
【０００７】  以下、本発明の実施の形態を説明する。
（イ）長手方向断面（１）は４角形で棒状を成し、上面（２）幅半分に長方形の雨水溝（３）が全長にある。上面（２）幅残り半分の長手方向両端部（１）近くに１ヶ所ずつ上面から底まで貫通した杭穴（４）かある。その杭穴を通る杭（５）がある。上面には他数個の杭穴もある。
（ロ）手前側面の高さ２分の１の位置に挟み溝長方形（７）、挟み溝台形（８）、挟み溝楕円形（９）、挟み溝球形（１０）、挟み部溝正方形（１１）、挟み溝多角形（１２）、挟み溝Ｌ字形（１３）、挟み溝Ｔ字形（１４）の挟み溝が全長にあり、挟み溝に隙間無くビニール端部を挟み込み密着し、手で摘める取手付き部材（１５）が付いている。
（ハ）長手方向端部（１）から奥行き数ｃｍ底面から高さ３分の１で切り落とし、もう一方の端部は同奥行長、上面から高さ３分の２で切り落とされている。
（二）上面の雨水溝（３）、両端部の雨水溝断面を囲うようにコの字型刻み部（１６）が２ｃｍの深さで開けられている。この刻みにはめ込むため、コの字型で他方が円筒型に成っている集水部材（１７）がある。
（ホ）アーチ型支柱を挟んで、支柱に取付けた引っ掛け棒（１８）がある。
本発明は以上のような構造である。
本発明を使用する時は畑の畝にアーチ型支柱（１９）を等間隔に設置した後、長尺ビニールシート（２０）の長手方向の端を、アーチ型支柱の上に掛ける。ビニールシート地面側の端の上に本発明を乗せる、ビニールシートの端を手前側面の挟み溝（６）より少し長めにセットし、取手付き部材（７）をはさみ込んで固定する。本発明がしっかり地面に設置していてビニールシートに雨水溝（３）側が接触している状態で杭穴（４）に２ヶ所杭（５）を差込む。反対側も同じようにビニールシ−トの上に置き、本発明をアーチ型支柱の根元にピッタリ付けて、ビニールシートの端を挟み溝（６）の上までたるみ無く引っ張った状態で取手付き部材（１５）をはめ込み、そして杭を差し込む。
本発明を２本以上つなげて使用する場合は本発明の両端部（１）、高さ底から３分の１と、高さ上面から３分の２を重ね合わせる。杭穴（４）も重なるので、杭（５）を地面に差し込んで一体として固定する。
ビニールシート面に降った雨や直接雨水溝に流れ込んだ雨水は上面雨水溝（３）を通って長手方向断面部（１）から落下し、コの字型の刻み部（１６）に集水部材（１７）を差込み固定し、他方はホースを差込、地面の中に埋めたタンクに流れ込む。
作業のため長尺ビニールシート（２０）を開く時は杭（５）を引き抜き、長手方向断面部（１）に差し込んである集水部材（１７）をはずす。２本以上連続して使用している場合は本発明の杭穴（４）に、杭穴長より少し短かい、平べったい頭の付いたジョイント棒（２１）をセットし、締め付けるようなＣ型部材（２２）を挟み込む。Ｃ型部材の端部は挟み溝（６）に接触しないよう又、その面も含めた４面を抱え込むような構造である。本発明の両断面部中央部に数ｃｍ長の棒状の凹みがあり、向き合っている両端の穴にジョイント接続角部材（２３）を差込みながら連結し逐次延長していく構造である。作業の為ビニールを開く時は、１本目の長さの中間に居て、本発明品をビニールシートに巻き付けながら持ち上げる、アーチ型支柱に取付けた引っ掛け棒（１８）、そこにビニールシートを巻き込んだ本発明を引掛けて次に２本目の中間に移動し同じように繰り返し全長の作業が出来るようにする。作業が終わって閉じる時は支柱に固定されている引っ掛け棒（１８）を端から順番に外す。本発明を地面に降ろしアーチ型支柱根元に寄せて、杭穴（４）に杭を通し差し込んで地面に固定する。長手方向端部にコの字型集水部材（１６）を差し込み地中のタンクに降った雨水を誘導する。
【符号の説明】
【０００８】  （１）長手方向断面図（２）上面（３）雨水溝（４）杭穴（５）杭（６）挟み溝（７）挟み溝長方形（８）挟み溝台形（９）挟み溝楕円形（１０）挟み溝球形（１１）挟み溝正方形（１２）挟み溝多角形（１３）挟み溝Ｌ字形（１４）挟み溝Ｔ字形（１５）取手付き部材（１６）コの字型刻み部（１７）集水部材（１８）引っ掛け棒（１９）アーチ型支柱（２０）長尺ビニールシート（２１）ジョイント棒（２２）Ｃ形部材（２３）ジョイント接続角部材。
【図１】
2012080857.tif 000003
【図２】
2012080857.tif 000004
【図３】
2012080857.tif 000005
【図４】
2012080857.tif 000006
【図５】
2012080857.tif 000007
【図６】
2012080857.tif 000008
【図７】
2012080857.tif 000009
【図８】
2012080857.tif 000010